(57)【特許請求の範囲】
【請求項１】
折り畳まれまたは巻回された収納形態となって車室内に搭載され、緊急時に膨張展開するクッション部材と、
前記収納形態のクッション部材を包むカバー部材と、
を備え、
前記カバー部材は、
袋状であって前記収納形態のクッション部材を内包し、該クッション部材の膨張展開によって破断して該クッション部材を解放するカバー本体部と、
前記カバー本体部に設けられ、前記収納形態のクッション部材を該カバー本体部内に挿入可能にする開口部と、
前記カバー本体部の前記開口部近傍から延びるフタ部と、
前記フタ部の所定箇所を前記カバー本体部に繋ぎ止め、該フタ部が前記開口部を覆う姿勢に維持する姿勢維持部と、
前記カバー本体部を袋状に縫製する縫製ラインであって、該カバー本体部内の前記収納形態のクッション部材の輪郭に沿って、所定方向に長い二つの長辺を含む長尺な多角形状の一部をなぞるように縫製された縫製ラインと、を有し、
前記開口部は、
前記多角形状の二つの長辺のうち一辺に沿って前記縫製ラインを設けないことによって開けられた第１スロットと、
前記第１スロットの端に連続して前記クッション部材の輪郭上の短手方向に延びる一つの短辺に沿って前記縫製ラインを設けないことによって開けられた第２スロットと、を含むことを特徴とするエアバッグ装置。
【請求項２】
前記フタ部は、前記カバー本体部とは別体となっていて、該カバー本体部の前記開口部近傍に接続される固定端と、該固定端から前記開口部を隔てて延びる自由端と、を有することを特徴とする請求項１に記載のエアバッグ装置。
【請求項３】
前記姿勢維持部は、前記縫製ラインから連続した縫い目であり、
前記フタ部は、当該エアバッグ装置の稼動前の自然状態において、前記姿勢維持部によって前記カバー本体部に常時貼りついているような姿勢で配置されることを特徴とする請求項１または２に記載のエアバッグ装置。
【請求項４】
前記カバー本体部はさらに、前記縫製ラインを設けたことで該カバー本体部の内面に形成され、該カバー本体部に内包された前記クッション部材を前記第１スロットから取り出そうとした場合に該クッション部材と干渉する干渉領域を有し、
前記カバー本体部の短手方向における前記第２スロットを除いた長さが、前記収納形態のクッション部材の短手方向の長さの半分より長いことを特徴とする請求項１から３のいずれか１項に記載のエアバッグ装置。
【請求項５】
前記縫製ラインは、前記クッション部材の長手方向両端それぞれにおいて該クッション部材の輪郭上の短手方向に延びる短辺に沿って設けられていて、
前記干渉領域は、前記クッション部材を長方形とみなしたとき、該長方形の４隅のうち少なくとも３点それぞれと接する位置に設けられることを特徴とする請求項４に記載のエアバッグ装置。
【請求項６】
前記縫製ラインは、前記クッション部材の長手方向両端それぞれにおいて該クッション部材の輪郭上の短手方向に延びる短辺に沿って設けられていて、
前記干渉領域は、前記クッション部材を長方形とみなしたとき、該長方形の４隅それぞれと接する位置に設けられることを特徴とする請求項４に記載のエアバッグ装置。
【請求項７】
前記カバー本体部は、不織布から形成されていることを特徴とする請求項１から６のいずれか１項に記載のエアバッグ装置。
【請求項８】
前記クッション部材およびカバー本体部はサイドエアバッグ用であることを特徴とする請求項１から７のいずれか１項に記載のエアバッグ装置。
【発明の詳細な説明】
【技術分野】
【０００１】
本発明は、車両に衝撃が生じた場合などに、乗員と車室内の側壁部等との間に膨張展開して乗員を拘束するエアバッグ装置に関するものである。
【背景技術】
【０００２】
エアバッグ装置は、車両衝突などの緊急時に作動する安全装置であって、近年の自家用自動車にはほぼ標準装備されている。エアバッグ装置は主に、基布を袋状に縫製等することで形成されたクッション部材と、ガス発生装置であるインフレータとから構成されていて、インフレータからのガス圧でクッション部材が膨張展開して乗員を拘束する。エアバッグ装置には設置箇所や用途に応じて様々な種類がある。例えば、前後方向の衝突から前列座席の乗員を保護する用途を有するものとしては、フロントエアバッグやパッセンジャーエアバッグなどがある。また、側面衝突やそれに続いて起こるロールオーバ（横転）から乗員を守る用途を有するものとしては、壁部の天井付近からサイドウィンドウに沿って膨張展開するカーテンエアバッグや、座席の側部から乗員のすぐ脇へ膨張展開するサイドエアバッグなどが存在する。
【０００３】
稼動前における各種エアバッグ装置のクッション部材は、限られた空間にも設置できるよう、折畳みや巻回によってコンパクトな収納形態となって設置されている。このような収納形態のクッション部材は、その折畳み等を維持するなんらかの手段が講じられていることが多い。例えば特許文献１に記載のエアバッグ装置では、ラッピング材（以下、カバー部材）と呼ばれる部材でエアバッグの周囲を覆い、その折り崩れを防いでいる。
【先行技術文献】
【特許文献】
【０００４】
【特許文献１】特開２００３−１０４１５５号公報
【発明の概要】
【発明が解決しようとする課題】
【０００５】
上記特許文献１に記載のカバー部材には、クッション部材を挿入するための開口部に、閉じ部と呼ばれるフタ（以下、フタ部）が設けられている。このフタ部を閉じることで、クッション部材はカバー部材から露出しなくなり、クッション部材の汚れの防止やハウジングなどの外部の部材との干渉の防止等を図ることが可能になる。しかしながら、フタ部を閉じるためには、フタ部の孔にインフレータのスタッドボルトを通し、このスタッドボルトを座席の側部等に締結する必要があると思われる。これでは、フタ部は、クッション部材の車両組付け時までは開いていることになる。一般的にクッション部材は、車両組付け前の製造工程等において、収納形態となった段階で運搬される場合がある。その際、フタ部が開いていると、クッション部材が汚れたり外部に触れたりするだけでなく、フタ部が他の部材に挟まれて不規則な折り癖が生じかねない。
【０００６】
本発明は、上記課題に鑑み、フタ部の折り癖防止対策が施されたカバー部材を備えたエアバッグ装置を提供することを目的としている。
【課題を解決するための手段】
【０００７】
上記課題を解決するために、本発明にかかるエアバッグ装置の代表的な構成は、折り畳まれまたは巻回された収納形態となって車室内に搭載され、緊急時に膨張展開するクッション部材と、収納形態のクッション部材を包むカバー部材と、を備え、カバー部材は、袋状であって収納形態のクッション部材を内包し、クッション部材の膨張展開によって破断してクッション部材を解放するカバー本体部と、カバー本体部に設けられ、収納形態のクッション部材をカバー本体部内に挿入可能にする開口部と、カバー本体部の開口部近傍から延びるフタ部と、フタ部の所定箇所をカバー本体部に繋ぎ止め、フタ部が開口部を覆う姿勢に維持する姿勢維持部と、を有することを特徴とする。
【０００８】
上記のフタ部は、姿勢維持部によって開口部を覆う姿勢に維持されるため、垂れ下がったり捻じれたりしない。したがって、収納形態のクッション部材をカバー部材で包んだ状態（サブアッシイ）にて運搬等を行う場合において、フタ部は他の部材に押し挟まれることがなく、フタ部の折り癖の発生を防ぐことができる。
【０００９】
上記のフタ部は、カバー本体部とは別体となっていて、カバー本体部の開口部近傍に接続される固定端と、固定端から開口部を隔てて延びる自由端と、を有してもよい。また、上記のカバー部材はさらに、カバー本体部を袋状に縫製する縫製ラインであって、カバー本体部内のクッション部材の輪郭をなぞるように縫製された縫製ラインを有し、開口部は、クッション部材の輪郭上の一部にて縫製ラインを設けないことによって開けられた第１スロットを含んでもよい。これら構成によっても、前述した効果を有するカバー部材を実現することができる。
【００１０】
上記の姿勢維持部は、縫製ラインから連続した縫い目であり、フタ部は、当該エアバッグ装置の稼動前の自然状態において、姿勢維持部によってカバー本体部に常時貼りついているような姿勢で配置されるとよい。この構成であれば、姿勢維持部を、縫製ラインを延長させて設けた簡潔な構成で実現することができる。また、自然状態とは、外部から何も力を加えていない状態のことである。すなわち、フタ部は、外部から力を加えなくてもカバー本体部に貼りつくように閉じた姿勢を常にとることができ、これによって折り癖の発生等を効率よく防ぐことが可能になっている。
【００１１】
縫製ラインは、収納形態のクッション部材の輪郭に沿って、所定方向に長い二つの長辺を含む長尺な多角形状の一部をなぞるように縫製されていて、開口部の第１スロットは、多角形状の二つの長辺のうち一辺に沿って設けられ、縫製ラインはさらに、縫製ラインを設けたことでカバー本体部の内面に形成され、カバー本体部に内包されたクッション部材を第１スロットから取り出そうとした場合にクッション部材と干渉する干渉領域を有してもよい。例えば、縫製ラインは、クッション部材の長手方向両端それぞれにおいてクッション部材の輪郭上の短手方向に延びる短辺に沿って設けられていて、干渉領域は、クッション部材を長方形とみなしたとき、長方形の４隅のうち少なくとも３点それぞれと接する位置に設けられてもよい。この構成によって、クッション部材はカバー本体部に対して極端にずれたり脱落したりし難くなる。
【００１２】
上記の縫製ラインは、クッション部材の長手方向両端それぞれにおいてクッション部材の輪郭上の短手方向に延びる短辺に沿って設けられていて、干渉領域は、クッション部材を長方形とみなしたとき、長方形の４隅それぞれと接する位置に設けられてもよい。この構成によっても、クッション部材はカバー本体部に対して極端にずれたり脱落したりし難くなる。
【００１３】
上記の開口部はさらに、第１スロットの端に連続してクッション部材の輪郭上の短手方向に延びる一つの短辺に沿って縫製ラインを設けないことによって開けられた第２スロットを含み、カバー本体部の短手方向における第２スロットを除いた長さが、収納形態のクッション部材の短手方向の長さの半分より長いとよい。この第２スロットを設けることで、クッション部材をカバー本体部内に挿入しやすくなる。加えて、カバー本体部の短手方向における第２スロットを除いた長さが、収納形態のクッション部材の短手方向の長さの半分より長ければ、カバー本体部はクッション部材に干渉してその脱落を防ぐことが可能になる。
【００１４】
上記のカバー本体部は、不織布から形成されていてもよい。不織布であれば、クッション部材の膨張展開によって破断するカバー本体部が好適に実現できる。
【００１５】
上記のクッション部材およびカバー本体部はサイドエアバッグ用であってもよい。サイドエアバッグ用であると、上記構成のエアバッグ装置が好適に実現できる。
【発明の効果】
【００１６】
本発明によれば、フタ部の折り癖防止対策が施されたカバー部材を備えたエアバッグ装置を提供することができる。
【図面の簡単な説明】
【００１７】
【図１】本発明の実施形態にかかるエアバッグ装置を例示した図である。
【図２】図１（ａ）のクッション部材付近を拡大して例示した図である。
【図３】図２（ｃ）のカバー部材の縫製過程を例示した図である。
【図４】図２（ｃ）のカバー部材およびクッション部材を概略的に例示した図である。
【図５】図４（ｂ）のカバー部材の各変形例である。
【図６】図２のカバー部材の変形例を例示した図である。
【発明を実施するための形態】
【００１８】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１９】
図１は、本発明の実施形態にかかるエアバッグ装置（サイドエアバッグ１００）を例示した図である。図１では、前列右座席（シート１０２）用のサイドエアバッグ１００を車幅方向の車外側から見ている。なお、本発明のエアバッグ装置が持つ技術的思想は、サイドエアバッグ１００以外にも、フロントエアバッグやカーテンエアバッグ等の各種エアバッグ装置として実現可能である。
【００２０】
図１（ａ）は、サイドエアバッグ１００の稼動前の状態を例示している。サイドエアバッグ１００は、シート１０２のシートバック１０４の側部に内蔵されている。サイドエアバッグ１００を構成する部材のうち乗員を拘束するクッション部材１０６は、稼動前においては折り畳まれまたは巻回されてコンパクトな収納形態となっている。クッション部材１０６は、シートバック１０４の側部に備えられたハウジング１０８に、巻回または折り畳まれて収納されている。収納状態のクッション部材１０６は、その上をシートカバー等が覆っているため、外部からは視認不能である。そして図１（ｂ）のように、緊急時において車両に衝撃が発生すると、クッション部材１０６はシートカバー等を開裂させて、乗員の側方へ膨張展開する。
【００２１】
クッション部材１０６は、袋状に形成されていて、ガス圧で膨張展開して乗員Ｍ１を受け止める。クッション部材１０６は、乗員Ｍ１とサイドドア（図示省略）との間に扁平な形状に膨張展開する。クッション部材１０６は、表面を構成する複数の基布を重ねて縫製したり接着したりすることや、ＯＰＷ（One-Piece Woven）を用いた紡織などによって形成されている。
【００２２】
クッション部材１０６のシートバック１０４への付け根の付近にはガス発生装置であるインフレータ１１０が備えられていて、クッション部材１０６はこのインフレータ１１０から供給されるガスの圧力によって膨張展開を行う。本実施形態で採用しているインフレータ１１０は、シリンダ型（筒型）のものである。現在普及しているインフレータには、ガス発生剤が充填されていてこれを燃焼させてガスを発生させるタイプや、圧縮ガスが充填されていて熱を発生させることなくガスを供給するタイプ、または燃焼ガスと圧縮ガスとを両方利用するハイブリッドタイプのものなどがある。インフレータ１１０としては、いずれのタイプのものも利用可能である。なお、インフレータ１１０から供給されたガスは、クッション部材１０６が膨張展開した後は、クッション部材１０６の車外側に設けられたベントホール１１２から排気される。
【００２３】
図２は、図１（ａ）のクッション部材１０６付近を拡大して例示した図である。図２（ａ）は、クッション部材１０６を車幅方向外側から見た斜視図である。図２（ａ）に例示するように、クッション部材１０６およびインフレータ１１０は、カバー部材１１４に内包された状態（サブアッシイ１１６）でシート１０２（図１（ａ）参照）に組み付けられている。図２（ｂ）は、図２（ａ）のサブアッシイ１１６の車幅方向内側、すなわちシート１０２側から見た斜視図である。サブアッシイ１１６は、カバー部材１１４の内部からインフレータ１１０のスタッドボルト１１８が露出していて、このスタッドボルトを１１８利用してシートバック１０４の側部のハウジング１０８等に締結される。
【００２４】
図２（ｃ）は、図２（ｂ）のサブアッシイ１１６の分解図である。図２（ｃ）に例示するように、カバー部材１１４は、袋状の部位（カバー本体部１２０）に収納形態のクッション部材１０６を内包する構成となっている。カバー部材１１４は全体的に布製であり、例えば不織布から形成されていて、クッション部材１０６の膨張展開によってカバー本体部１２０の一部が破断してクッション部材１０６を開放する。
【００２５】
本実施形態では、カバー部材１１４は１枚の生地から縫製されている。図３は、図２（ｃ）のカバー部材１１４の縫製過程を例示した図である。図３（ａ）には、カバー部材１１４の生地１１５を例示している。この生地１１５のうちの大部分は袋状のカバー本体部１２０（図２（ｃ）参照）となる領域であり、図中右側の縦長の領域が後述するフタ部１２４となる領域である。カバー部材１１４を縫製するにあたって、まずカバー本体部１２０となる領域が中央線Ｃ１にて左右半分に折られ、図３（ｂ）の状態にされる。
【００２６】
カバー部材１１４は図３（ｂ）の状態から、図３（ｃ）に例示するようにフタ部１２４がカバー本体部１２０側へ折り返された後、図３（ｄ）に例示するようにカバー本体部１２０に縫製ラインＬ１、Ｌ２が縫製される。この縫製ラインＬ１、Ｌ２はカバー本体部１２０に挿入されたクッション部材１０６（図４（ａ）参照）を想定し、このクッション部材１０６の輪郭に沿って設けられている。詳述すると、図４（ａ）に例示するように、車幅方向から見て、収納形態のクッション部材１０６は上下方向に長尺な形状であり、その輪郭をカバー本体部１２０上に縁取ると、車両上下に長い長辺を有する長尺な多角形状Ｓ１が描かれる。縫製ラインＬ１、Ｌ２はこの多角形状Ｓ１をなぞるように縫製されている。特に、縫製ラインＬ１はクッション部材１０６の下部に沿って設けられていて、縫製ラインＬ２はクッション部材１０６の上部に沿って設けられている。
【００２７】
再び図２（ｃ）を参照する。図２（ｃ）に例示するように、カバー本体部１２０にはクッション部材１０６を挿入可能にする開口部１２２が設けられている。開口部１２２は、折り重ねられた生地１１５の間が、縫製ラインＬ１、Ｌ２を設けないことによって開けられている。この開口部１２２には、第１スロット１２２ａと第２スロット１２２ｂの２つの部位が含まれている。図４（ａ）に例示するように、第１スロット１２２ａは、カバー本体部１２０内のクッション部材１０６の輪郭を想定した多角形状Ｓ１のうち、車両後側にて上下に延びる長辺ｈ１に沿って形成されている。一方、第２スロット１２２ｂは、この多角形状Ｓ１のうち、車両上側にて車両前後に延びる短辺ｈ２に沿って形成されている。
【００２８】
図２（ｃ）に例示するように、カバー本体部１２０の開口部１２２の近傍からは、フタ部１２４が延びている。フタ部１２４は、図２（ｂ）に例示するように、カバー本体部１２０側に折り返されて開口部１２２を覆い隠す。フタ部１２４には２つの孔部１３０が設けられていて、この孔部１３０にスタッドボルト１１８を通し、サブアッシイ１１６はフタ部１２４を閉じた状態でシートバック１０４（図１（ａ）参照）に設置される。
【００２９】
カバー部材１１４には、フタ部１２４の閉じた姿勢を確実に維持するために、フタ部１２４に姿勢維持部１３８が設けられている。姿勢維持部１３８は、フタ部１２４の所定箇所をカバー本体部１２０に繋ぎ止める部位であって、本実施形態では縫製ラインＬ１から連続した縫い目として設けられている。この姿勢維持部１３８は、カバー部材１１４の車幅方向における車内側面において、カバー本体部１２０側へ折り返されたフタ部１２４の折り目の端付近をカバー本体部１２０に繋いでいる。この姿勢維持部１３８は、縫製ラインＬ１から延長した簡潔な構成であるが、フタ部１２４の折り返しを保持することができ、フタ部１２４の開口部１２２を覆った姿勢を維持してその垂れ下がり等を防ぐ。
【００３０】
フタ部１２４は、姿勢維持部１３８を設けることで、サイドエアバッグ１００の稼動前の自然状態において、カバー本体部１２０に常時貼りついているような姿勢で配置される。ここで、自然状態とは、外部から何も力を加えていない状態のことである。すなわち、フタ部１２４は姿勢維持部１３８によって、外部から力を加えなくてもカバー本体部１２０に貼りつくように閉じた姿勢を常にとることが可能になっている。
【００３１】
姿勢維持部１３８を設けることで、サブアッシイ１１６はフタ部１２４の閉じた姿勢が維持できるため、クッション部材１０６の露出を防いでその汚れや外部の部材との干渉などを防止することができる。また、車両組付け前においてサブアッシイ１１６の状態にて運搬等を行う場合、姿勢維持部１３８によってフタ部１２４は閉じた姿勢が維持できるため、垂れて捻じれたり他の部材に押し挟まれたりすることなどがなくなり、フタ部１２４への折り癖の発生を防ぐことができる。したがって、当該サイドエアバッグ１００は、フタ部１２４の折り癖の防止による品質向上、およびフタ部１２４の折り癖を解消する手間が省けることによる工数削減が図れる。さらにはフタ部１２４が垂れ下がらないことによってシート１０２へ組み付けやすくなることによる組付作業の容易化にも資する。
【００３２】
なお、上記構成では、フタ部１２４をカバー本体部１２０に繋ぎ止める機能を有する姿勢維持部１３８を、フタ部１２４にまで縫製ラインＬ１を延長させて縫い目を設けることで実現した。しかしながら、姿勢維持部を実現する手段はこれに限られない。例えば姿勢維持部としては、フタ部１２４の所定箇所を、両面テープや接着剤、さらにはステープラを利用してカバー本体部１２０に繋ぎ止めることでも実現可能である。またさらに、姿勢維持部は、フタ部１２４とカバー本体部１２０の互いに対向する面それぞれに、線状の凹凸を設けて互いに噛み合うジッパ構造を設けることでも、達成可能である。
【００３３】
本実施形態ではさらに、クッション部材１０６が、カバー部材１１４内でずれたり、カバー部材１１４から脱落したりしないよう配慮したうえで、これらクッション部材１０６およびカバー部材１１４の形状やサイズを設定している。図４は、図２（ｃ）のカバー部材１１４およびクッション部材１０６を概略的に例示した図である。図４（ａ）は通常時のカバー部材１１４とクッション部材１０６とを例示した図であり、図４（ｂ）はクッション部材１０６の姿勢がわずかに傾いた状態を例示した図である。以下、これら図４を参照して当該サイドエアバッグ１００のさらなる構成について説明する。
【００３４】
図４（ａ）に例示するように、縫製ラインＬ１、Ｌ２は、収納形態のクッション部材１０６の輪郭に沿って縫製されている。特に、これら縫製ラインＬ１、Ｌ２は、クッション部材１０６の長手方向両端それぞれにおいて、クッション部材１０６の輪郭上の短手方向に延びる短辺に沿って設けられている。そのため、カバー本体部１２０の内部においてクッション部材１０６が動き得る空間は制限されていて、図４（ｂ）のようにクッション部材１０６が傾くと、クッション部材１０６はカバー本体部１２０の内面に接触する。本実施形態では、このクッション部材１０６に接触する部位を干渉領域Ｐ１〜Ｐ３と称している。干渉領域Ｐ１〜Ｐ３は、縫製ラインＬ１、Ｌ２が設けられることで、カバー本体部１２０の内面に形成される。
【００３５】
干渉領域Ｐ１〜Ｐ３は、クッション部材１０６を第１スロット１２２ａから取り出そうとした場合に、クッション部材１０６に干渉して抵抗する役割を担っている。例えば、干渉領域Ｐ１〜Ｐ３は、クッション部材１０６を長方形とみなしたときの４隅のうち、開口部１２２近傍の１点以外の３点にてクッション部材１０６に干渉する。したがってクッション部材１０６はカバー本体部１２０に対して極端にずれたり脱落したりし難くなっている。
【００３６】
ここで、カバー本体部１２０の内部における短手方向のサイズから第２スロット１２２ｂを除いた長さ、すなわちカバー部材１１４の上部にて車両前後方向に延びる縫製ラインＬ２の長さについて説明する。縫製ラインＬ２の長さは、収納形態のクッション部材１０６の短手方向の長さＤ１の半分より長く設定されている（Ｌ２＞Ｄ１／２。便宜上、縫製ラインＬ２の長さも同一の符号Ｌ２で示している）。このように、カバー本体部１２０の上部の縫製ラインＬ２の長さが、収納形態のクッション部材１０６の短手方向の長さＤ１の半分より長ければ、縫製ラインＬ２がクッション部材１０６に干渉しやすくなってその脱落を防ぐことが可能になる。
【００３７】
（縫製ラインの変形例）
図５は、図４（ｂ）のカバー部材１１４の縫製ラインの変形例である。図５のカバー部材１５０では、図４（ｂ）のカバー部材１１４と異なり、開口部１５２に第２スロット１２２ｂが無く、車両後側の長辺ｈ１のやや中央寄りが開口した構成となっている。そして、上部の縫製ラインＬ３が、クッション部材１０６における開口部１５２側の角部にまで沿って設けられている。このように、カバー部材１５０では、縫製ラインＬ１、Ｌ３が、クッション部材１０６の長手方向両端それぞれにおいて、クッション部材１０６の輪郭上の短手方向に延びる短辺の全域にわたって設けられている。これにより、カバー本体部１５０の内面は、クッション部材１０６を長方形とみなしたときの４隅それぞれと干渉する干渉領域Ｑ１〜Ｑ４が形成されている。この構成によれば、クッション部材１０６をカバー部材１５０内に挿入する際にクッション部材１０６を押し込む必要があるものの、カバー部材１５０へ挿入した後はクッション部材１０６のずれや脱落をさらに好適に防ぐことが可能になる。
【００３８】
（カバー部材の変形例）
図６は、図２のカバー部材１１４の変形例を例示した図である。図６のカバー部材１６０は、フタ部１６２の構成等において、図２のカバー部材１１４と構成が異なっている。
【００３９】
図６（ａ）に例示するフタ部１６２は、図６（ｂ）に例示するようにカバー本体部１２０とは別体となっている。フタ部１６２の長辺のうち一方は、カバー本体部１２０の車外側面１２０ａの開口部１２２近傍に接続され、固定端１２６となっている。そして、他方の長辺は自由端１２８となっていて、この自由端１２８は、図６（ａ）のようにフタ部１６２を閉じた状態において、固定端１２６から開口部１２２を隔ててカバー本体部１２０の車内側面１２０ｂにまで延びている。
【００４０】
フタ部１６２は、固定端１２６と自由端１２８との間にてカバー本体部１２０に沿って折られ、その折り目の近傍に姿勢維持部１３８が設けられている。したがって、フタ部１６２もまた、当該サイドエアバッグ１００の稼動前の自然状態において、カバー本体部１２０に常時貼りついているような姿勢で配置され、外部から力を加えなくても常に閉じた状態となっている。このように、フタ部１６２をカバー本体部１２０と別体とした構成によっても、フタ部１６２を常時閉じた姿勢にすることが可能なカバー部材１６０を実現することができる。
【００４１】
さらに図６（ｃ）に例示するように、本変形例では、カバー本体部１２０のうちフタ部１６２の重なる位置に、補強布１３４が設置されている。この補強布１３４は、カバー本体部１２０においてスタッドボルト１１８の周囲を補強する部材である。スタッドボルト１１８付近には、クッション部材１０６の膨張展開時に負荷がかかりやすい傾向がある。そこで本変形例では、カバー本体部１２０とフタ部１６２だけでなく、補強布１３４にもスタッドボルト１１８を通すことで、生じうる負荷を分散させてカバー本体部１２０等の破損を防いでいる。
【００４２】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００４３】
また、上記実施形態においては本発明にかかるエアバッグ装置を自動車に適用した例を説明したが、自動車以外にも航空機や船舶などに適用することも可能であり、同様の作用効果を得ることができる。
【産業上の利用可能性】
【００４４】
本発明は、車両に衝撃が生じた場合などに、乗員と車室内の側壁部等との間に膨張展開して乗員を拘束するエアバッグ装置に利用することができる。
【符号の説明】
【００４５】
１００…サイドエアバッグ、１０２…シート、１０４…シートバック、１０６…クッション部材、１０８…ハウジング、１１０…インフレータ、１１２…ベントホール、１１４…カバー部材、１１５…カバー部材の生地、１１６…サブアッシイ、１１８…スタッドボルト、１２０…カバー本体部、１２０ａ…カバー本体部の車外側面、１２０ｂ…カバー本体部の車内側面、１２２…開口部、１２２ａ…開口部の第１スロット、１２２ｂ…開口部の第２スロット、１２４…フタ部、１２６…フタ部の固定端、１２８…フタ部の自由端、１３０…フタ部の孔部、１３２…補強布の孔部、１３４…補強布、１３８…姿勢維持部、１５０…変形例のカバー部材、１５２…変形例のカバー部材の開口部、１６０  …変形例のカバー部材、１６２  …変形例のカバー部材のフタ部、Ｃ１   …カバー本体部の生地の中央線、ｈ１…クッション部材を想定した多角形状の車両後側の長辺、ｈ２…クッション部材を想定した多角形状の上部の短辺、Ｌ１…下部の縫製ライン、Ｌ２…上部の縫製ライン、Ｌ３…変形例の上部の縫製ライン、Ｍ１…乗員、Ｐ１〜Ｐ３…干渉領域、Ｑ１〜Ｑ４…変形例における干渉領域
【図１】
0005960667.tif 000002
【図２】
0005960667.tif 000003
【図３】
0005960667.tif 000004
【図４】
0005960667.tif 000005
【図５】
0005960667.tif 000006
【図６】
0005960667.tif 000007